(57)【要約】【課題】擁壁用ブロックのコンクリート成形部分の形状が簡単で、擁壁用ブロックの成形コストを低くでき、しかも十分な強度を有する擁壁を構築できるようにする。【解決手段】擁壁用ブロック１を、板状にコンクリートにて成形した壁部材１ａの背面に、鉄板構造の控脚５を固着した構成にし、上記控脚に設けたナット部材１３にサポート筋３の先端部をねじ結合した。【選択図】図１
2009138426.tif 000002
【特許請求の範囲】
【請求項１】
擁壁用ブロックと背面壁枠とをサポート筋にて連結して法面の前側に積み重ね、背面型枠の裏側に裏込材を充填し、擁壁用ブロックと背面型枠との間に裏込コンクリートを打設してなる擁壁において、
擁壁用ブロックを、板状にコンクリートにて成形した壁部材の背面に、鉄板構造の控脚を固着した構成にし、上記控脚に設けたナット部材にサポート筋の先端部をねじ結合した
ことを特徴とする擁壁。
【発明の詳細な説明】
【技術分野】
【０００１】
本発明は、擁壁用ブロックと背面型枠とをサポート筋にて連結して法面の前側に積み重ね、背面型枠の裏側に裏込材を充填し、擁壁用ブロックと背面型枠との間に裏込コンクリートを打設してなる擁壁に関するものである。
【背景技術】
【０００２】
この種の擁壁におけるコンクリート製の擁壁用ブロックは、壁体の背面側に控脚を一体成形したものが用いられており、この控脚にサポート筋の先端を連結するようになっている（特許文献１参照）。また、壁体の背面側に、上下方向に積み上げるブロック相互を連結する連結部材を取り付け、この連結部材にサポート筋の先端を溶接にて連結するようになっている（特許文献２参照）。
【０００３】
【特許文献１】特開平１１−２９９４５号公報
【特許文献２】特開２００３−２７５０６号公報
【発明の開示】
【発明が解決しようとする課題】
【０００４】
上記背景技術の前者にあっては、擁壁用ブロックの壁体の背面側に複雑な形状の、あるいは仮に単純な形状であっても控脚を一体成形するために、この擁壁用ブロックのコンクリートによる成形型が複雑になり、成形コストが高くなっていた。
【０００５】
一方、後者のものにあっては、サポート筋の先端を連結する連結部材には控脚としての機能がないため、このような擁壁用ブロックでは擁壁を構築するための強度がなく、強固な擁壁を構築することができなかった。
【０００６】
本発明は上記のことに鑑みなされたもので、コンクリート成形部分の形状が簡単で成形コストの低い擁壁用ブロックを用いて、十分な強度を有する擁壁を得ることができ、しかもサポート筋の連結を容易にした擁壁を提供することを目的とするものである。
【課題を解決するための手段】
【０００７】
上記目的を達成するために、本発明に係る擁壁は、擁壁用ブロックと背面壁枠とをサポート筋にて連結して法面の前側に積み重ね、背面型枠の裏側に裏込材を充填し、擁壁用ブロックと背面型枠との間に裏込コンクリートを打設してなる擁壁において、擁壁用ブロックを、板状にコンクリートにて成形した壁部材の背面に、鉄板構造の控脚を固着した構成にし、上記控脚に設けたナット部材にサポート筋の先端部をねじ結合した構成になっている。
【発明の効果】
【０００８】
本発明によれば、擁壁用ブロックのコンクリート成形部分の形状が簡単になって、これの成形コストを低くすることができる。そしてコンクリート成形による壁部材に鉄板構造の控脚を固着し、この控脚にサポート筋の先端をねじ結合したことにより十分な強度を有する擁壁を構築することができ、また擁壁用ブロックに対するサポート筋の連結も容易に行うことができる。
【発明を実施するための最良の形態】
【０００９】
本発明の実施の形態を図面に基づいて説明する。
【００１０】
図１は擁壁用ブロック１と背面型枠２とをサポート筋３にて連結した状態を背面側から見た斜視図、図２は同じく表面側から見た斜視図、図３は控脚の上控脚部材を、また図４はその下控脚部材をそれぞれ示す一部破断斜視図、図５はサポート筋３の連結状態を示す拡大図、図６は図５のＡ−Ａ線矢視図、図７は背面型枠２を示す正面図、図８の（ａ）は背面型枠２を上下方向に連結するジョイナ４を示す正面図、（ｂ）はその側面図、図９は本発明に係る擁壁を示す断面図である。
【００１１】
上記擁壁用ブロック１は、コンクリートにて表面形状が横長の四角形で板状に成形された壁部材１ａと、この壁部材１ａの背面に左右方向に離隔した位置に固着される左右の控脚５，５とからなっている。各控脚５，５は、上下別々に構成された上控脚部材５ａと下控脚部材５ｂとからなっており、この上下の控脚部材５ａ，５ｂは、壁部材１ａの背面側にインサートされたナット部材（図示せず）にボルト６にて上下方向に一直線状になるように固着されている。
【００１２】
図３において、上控脚部材５ａは壁部材１ａの背面に固着される固着面７と、固着面７の上端に連なり、この固着面７に対して鈍角状になっている上面８と、この上面８に対して直角状にした後面９とを有し、これらの面は側板１０にて結合されて所定の強度を有する構造となっている。そして上記固着面７には、上記壁部材１ａの背面側に設けられるナット部材に螺合するボルト６が貫挿する２個の穴１１，１１が、また上面８には２個のボルト貫挿用の穴１２，１２が、さらに後面９には１個のボルト貫挿用の穴とこの穴と同心にして後面９の内側に溶接にて固着されたナット部材１３とが設けてある。
【００１３】
図４において、下控脚５ｂは壁部材１ａの背面に固着される固着面７ａと、固着面７ａの下端に連なり、この固着面７ａに対して、上記上控脚５ａの固着面７と上面８とでなす角度に対して補角となる角度にした下面８ａとを有し、これらの面は側板１０ａにて結合されて所定の強度を有する構造となっている。そして上記固着面７ａには、上記上控脚部材５ａと同様にボルト貫挿用の２個の穴１１ａ，１１ｂが、また下面８ａには上控脚５ａの上面８の穴１２，１２に対応する２個のボルト貫挿用の穴１２ａ，１２ｂが設けてある。
【００１４】
上記上控脚部材５ａはこれの上面８が壁部材１ａの上端と一致させて、また下控脚部材５ｂはこれの下面８ａが壁部材１ａの下端と一致させてそれぞれが固着面７，７ａにて壁部材１ａに固着されている。これにより、上控脚部材５ａの上面８と下控脚部材５ｂの下面８ａとは平行となり、かつ壁部材１ａをこれの表面が同一面となるように積み上げた状態（図９）で上記上面８と下面８ａが当接状態となり、両面に設けた穴１２，１２，１２ａ，１２ａに貫挿されるボルトにて固着されるようになっている。
【００１５】
サポート筋３は鉄棒にて構成されていて、これの先端部に上記上控脚部材５ａの後面に設けられた穴を貫通してナット部材１３に螺合するねじが設けてある。また、これの後端部が円弧状に折り曲げられている。
【００１６】
背面型枠２は、擁壁内に埋め捨てされるものであって、厚さが例えば１２ｍｍの板材にて四角形に形成されている。そしてこの背面型枠２には、上記サポート筋３の後端部の折り曲げ部に対応する位置に、サポート筋３の径より大きな間隔にして上下方向２列上状にして複数個の孔１４が設けられている。
【００１７】
ジョイナ４はこれの側面形状がアルファベットの略Ｈ形になっていて、下側の舌片４ａ，４ｂの間隔が上記背面型枠２の上端に嵌合する幅になっている。上側の舌片４ｃ、４ｄの少なくとも一方の舌片４ｃが外側へ拡げられていて、この両舌片４ｃ，４ｄ間に背面型枠２の下端が前後方向に傾動可能に嵌合できるようになっている。
【００１８】
上記した各部材を用いての擁壁の構築を図９にて説明する。
【００１９】
擁壁用ブロック１は、あらかじめ壁部材１ａに各控脚５，５を固着して一体構成にしておく。そしてこの各擁壁用ブロックは、それぞれの控脚５，５の上面８が水平になるように積み重ね、相互の擁壁用ブロックの上控脚部材と下控脚部材とをボルトにて結合する。そしてこの各擁壁用ブロック１の両上控脚部材５ａ，５ａの後面９に、これのナット部材１３に先端部を螺合してサポート筋３を連結する。このときサポート筋３の折り曲げ部が下方へ向くようにする。そしてこのサポート筋３の後端に背面型枠２を沿わせ、このサポート筋３の後端の折り曲げ片を背面型枠２が設けた孔１４に通した針金等の結束線１１にて背面型枠２にしばり付け固定する。このときの背面型枠２は、上記擁壁用ブロック１の壁部材１ａと平行に配置する。
【００２０】
上記のようにして擁壁用ブロック１と背面型枠２とがサポート筋３にて連結される。そして背面型枠２の位置と姿勢が決まった状態で背面型枠２の裏側に裏込砕石１７を投入すると共に、擁壁用ブロック１と背面型枠２との間に裏込コンクリート１６を打設する
【００２１】
このようにして各段の擁壁用ブロック１を積み上げることにより擁壁が構築される。擁壁用ブロック１と共に上方へ継いでいく背面型枠２の相互は、ジョイナ４にて前後にずれることなく継ぎ足されていく。
【００２２】
このときジョイナ４の上側の舌片４ｃ，４ｄは一方の舌片４ｃが前側に拡げられていることにより、上側の背面型枠２はジョイナ４に対して前側に回動でき、擁壁用ブロック１と背面型枠２との間隔を調節することができる。このときのサポート筋３は、図７に示すように上方へ折り曲げて背面型枠２の上側で連結する。なお、このときにおいてサポート筋３の後端部が背面型枠２の孔１４とずれた場合には、この孔１４をドリル等にて開けなおす。また、この孔１４は現場合わせにて設けてもよい。
【図面の簡単な説明】
【００２３】
【図１】擁壁用ブロックと背面型枠とをサポート筋にて連結した状態を背面側から見た斜視図である。
【図２】擁壁用ブロックと背面型枠とをサポート筋にて連結した状態を表面側から見た斜視図である。
【図３】控脚の上控脚部材を一部破断して示す斜視図である。
【図４】控脚の下控脚部材を一部破断して示す斜視図である。
【図５】サポート筋の連結状態を示す拡大図である。
【図６】図５のＡ−Ａ矢視図である。
【図７】背面型枠を示す正面図である。
【図８】（ａ）はジョイナを示す正面図、（ｂ）はその側面図である。
【図９】本発明に係る擁壁を示す断面図である。
【符号の説明】
【００２４】
１…擁壁用ブロック、１ａ…壁部材、２…背面型枠、３…サポート筋、４…ジョイナ、５…控脚、５ａ，５ｂ…上下の控脚部材、６…ボルト、７，７ａ…固定面、８…上面，８ａ…下面、９…後面、１０，１０ａ…側板、１１，１１ａ，１２，１２ａ，１３…ナット部材、１４…穴、１５…結束線、１６…裏込コンクリート、１７…裏込砕石。
【図１】
2009138426.tif 000003
【図２】
2009138426.tif 000004
【図３】
2009138426.tif 000005
【図４】
2009138426.tif 000006
【図５】
2009138426.tif 000007
【図６】
2009138426.tif 000008
【図７】
2009138426.tif 000009
【図８】
2009138426.tif 000010
【図９】
2009138426.tif 000011